(57)【特許請求の範囲】
【請求項１】
建物を建設する際に建設現場の製作ヤードでフロアユニットを製作し、このフロアユニットを施工階に揚重して建物の施工階に一時的にストックし、ストックしてある前記フロアユニットを用いて前記施工階近くのフロアを施工することを特徴とする施工階ストックフロアユニット工法。
【請求項２】
前記施工階の上階の大梁の建方を行うと同時に、ストックしてある前記フロアユニットを前記大梁に取り付けることを特徴とする請求項１に記載の施工階ストックフロアユニット工法。
【請求項３】
前記製作ヤードは、前記フロアユニット１基分を製作可能なスペースからなることを特徴とする請求項１または２に記載の施工階ストックフロアユニット工法。
【請求項４】
前記フロアユニットは、梁部材および床部材で構成され、前記製作ヤードにおいて脚部材を設置するとともに、この脚部材に前記梁部材を固定し、前記梁部材に前記床部材を固定することによって前記フロアユニットを製作することを特徴とする請求項１〜３のいずれか一つに記載の施工階ストックフロアユニット工法。
【請求項５】
前記フロアユニットを前記脚部材ごと揚重して建物の前記施工階にストックした後、前記脚部材を回収することを特徴とする請求項４に記載の施工階ストックフロアユニット工法。
【請求項６】
前記製作ヤードにおいて前記フロアユニットを製作し、前記フロアユニットを揚重して建物の前記施工階にストックする工程を前記施工階の上階の大梁の建方の時期まで繰り返し、前記施工階の上階の大梁の建方を行うと同時に、前記施工階にストックしてある全ての前記フロアユニットを前記大梁に取り付けることを特徴とする請求項１〜５のいずれか一つに記載の施工階ストックフロアユニット工法。
【請求項７】
前記製作ヤードにおける前記フロアユニットの製作の際に、前記フロアユニットに耐火被覆と設備取り付けの少なくとも一方を施工することを特徴とする請求項１〜６のいずれか一つに記載の施工階ストックフロアユニット工法。
【発明の詳細な説明】
【技術分野】
【０００１】
本発明は、例えば高層建物の施工階にフロアユニットをストックしてフロアを施工する施工階ストックフロアユニット工法に関するものである。
【背景技術】
【０００２】
従来、高層建物を建設する際に狭い敷地でフロアユニットを製作するフロアユニット工法が知られている（例えば、特許文献１参照）。このフロアユニット工法は、作業の効率化とコストの改善に効果的な工法である。
【先行技術文献】
【特許文献】
【０００３】
【特許文献１】特許第２７０９０９１号公報
【発明の概要】
【発明が解決しようとする課題】
【０００４】
しかしながら、上記の従来のフロアユニット工法は、フロアユニット製作のためのスペースを必要とするため、敷地に余裕のない高層建物の建設現場において実施することは難しい。なお、敷地を要しないタワー式のフロアユニット製作システムを適用すれば実施可能であるが、機械設備費用がかかり、コストメリットが減少してしまう。
【０００５】
本発明は、上記に鑑みてなされたものであって、敷地に余裕のない現場に好適な施工階ストックフロアユニット工法を提供することを目的とする。
【課題を解決するための手段】
【０００６】
上記した課題を解決し、目的を達成するために、本発明の請求項１に係る施工階ストックフロアユニット工法は、建物を建設する際に建設現場の製作ヤードでフロアユニットを製作し、このフロアユニットを施工階に揚重して建物の施工階に一時的にストックし、ストックしてある前記フロアユニットを用いて前記施工階近くのフロアを施工することを特徴とする。
【０００７】
また、本発明の請求項２に係る施工階ストックフロアユニット工法は、上述した請求項１において、前記施工階の上階の大梁の建方を行うと同時に、ストックしてある前記フロアユニットを前記大梁に取り付けることを特徴とする。
【０００８】
また、本発明の請求項３に係る施工階ストックフロアユニット工法は、上述した請求項１または２において、前記製作ヤードは、前記フロアユニット１基分を製作可能なスペースからなることを特徴とする。
【０００９】
また、本発明の請求項４に係る施工階ストックフロアユニット工法は、上述した請求項１〜３のいずれか一つにおいて、前記フロアユニットは、梁部材および床部材で構成され、前記製作ヤードにおいて脚部材を設置するとともに、この脚部材に前記梁部材を固定し、前記梁部材に前記床部材を固定することによって前記フロアユニットを製作することを特徴とする。
【００１０】
また、本発明の請求項５に係る施工階ストックフロアユニット工法は、上述した請求項４において、前記フロアユニットを前記脚部材ごと揚重して建物の前記施工階にストックした後、前記脚部材を回収することを特徴とする。
【００１１】
また、本発明の請求項６に係る施工階ストックフロアユニット工法は、上述した請求項１〜５のいずれか一つにおいて、前記製作ヤードにおいて前記フロアユニットを製作し、前記フロアユニットを揚重して建物の前記施工階にストックする工程を前記施工階の上階の大梁の建方の時期まで繰り返し、前記施工階の上階の大梁の建方を行うと同時に、前記施工階にストックしてある全ての前記フロアユニットを前記大梁に取り付けることを特徴とする。
【００１２】
また、本発明の請求項７に係る施工階ストックフロアユニット工法は、上述した請求項１〜６のいずれか一つにおいて、前記製作ヤードにおける前記フロアユニットの製作の際に、前記フロアユニットに耐火被覆と設備取り付けの少なくとも一方を施工することを特徴とする。
【発明の効果】
【００１３】
本発明によれば、建物を建設する際に建設現場の製作ヤードでフロアユニットを製作し、このフロアユニットを施工階に揚重して建物の施工階に一時的にストックし、ストックしてある前記フロアユニットを用いて前記施工階近くのフロアを施工するので、製作ヤードとして現場内の少なくとも１ユニット分の敷地を利用することができ、敷地に余裕のない現場に好適な施工階ストックフロアユニット工法を提供することができるという効果を奏する。
【図面の簡単な説明】
【００１４】
【図１】図１は、本発明に係る施工階ストックフロアユニット工法の実施例を示す概略施工手順図である。
【図２】図２は、本発明による施工手順１を示す図である。
【図３】図３は、本発明による施工手順２を示す図である。
【図４】図４は、本発明による施工手順３を示す図である。
【図５】図５は、本発明による施工手順４を示す図である。
【図６】図６は、本発明による施工手順５を示す図である。
【図７】図７は、本発明による施工サイクルの一例を示す工程図である。
【図８】図８は、２工区分割の一例を示す平面図である。
【図９】図９は、２日目の施工状況の一例を示す平面図である。
【発明を実施するための形態】
【００１５】
以下に、本発明に係る施工階ストックフロアユニット工法の実施例を図面に基づいて詳細に説明する。なお、この実施例によりこの発明が限定されるものではない。
【００１６】
図１に示すように、本発明に係る施工階ストックフロアユニット工法は、建物を建設する際に、建設現場の製作ヤードでフロアユニットを製作し（ステップＳ１）、このフロアユニットを施工階に揚重して建物の施工階に一時的にストックし（ステップＳ２）、ストックしてあるフロアユニットを施工階の上階の大梁に取り付け（ステップＳ３）、施工階近くのフロアを施工するというものである。
【００１７】
次に、本発明に係る施工階ストックフロアユニット工法の施工手順について、高層建物の積層工法に適用する場合を例にとり具体的に説明する。
【００１８】
［施工手順１］
図２に示すように、現場内の地上の製作ヤード２において、Ｈ型鋼からなる基部材１０を奥行き方向に２本平行に平置きし、フォークリフト等を利用して、２本の基部材１０上に仮設の脚部材１２を平行に立設する。製作ヤード２は、少なくともフロアユニット１基分を製作可能なスペースからなる。基部材１０は脚部材１２を固定するためのものである。脚部材１２は溝型鋼や角型鋼管等で構成することができる。脚部材１２と基部材１０との接続は、ガセットプレート等を用いて行うことができる。
【００１９】
［施工手順２］
次に、図３（ａ）の正面図および（ｂ）の側面図に示すように、フォークリフト３２等を利用して、脚部材１２の上部に１ユニット分の小梁１４（梁部材）を架設し、ガセットプレート１８およびコーナーピース２０を利用して脚部材１２とボルト固定する。なお、隣り合う脚部材１２間は、単管からなる転倒防止用のブレース１６で接続しておく。
【００２０】
［施工手順３］
次に、図４（ａ）の正面図および（ｂ）の側面図に示すように、小梁１４上に合成デッキ２２（床部材）を敷き、小梁１４に点付け溶接する。続いて、小梁１４に乾式の耐火被覆を施すとともに、空調等の設備機器２４を接続部材２６を介して小梁１４に取り付ける。このようにして、小梁１４と合成デッキ２２とからなるフロアユニットを製作ヤード２にて製作する。
【００２１】
［施工手順４］
図５に示すように、フロアユニット１００にタワークレーンからのワイヤ２８を玉掛けして、脚部材１２ごと吊り上げて、施工階４（Ｎ階）の大スパン大梁６の上（施工階４の大梁６に先行設置してあるフロアユニット１００の上）に一時的に仮置きする（ストック）。この場合、脚部材１２は大梁６上のスタッド３０を避けるように配置する。以上のフロアユニット製作からストックまでの施工手順１〜４を約１日で行う。
この施工手順１〜４を当該工区の鉄骨建方の日まで繰り返す。
【００２２】
［施工手順５］
図６に示すように、施工階４（Ｎ階）の直上階（Ｎ＋１階）の大梁８の建方を行うと同時に、ストックしてある全てのフロアユニット１００を大梁８に取り付ける。この場合、各フロアユニット１００は脚部材１２から取り外し、タワークレーン２８からのワイヤ２８やリフト装置３４等で揚重して、直上階（Ｎ＋１階）の大梁８に取り付ける。
【００２３】
なお、利用済みの脚部材１２は撤去・回収して製作ヤード２へ戻しておき、次回のフロアユニットの製作時に再利用する。また、先行設置してある施工階４の大梁６上のフロアユニットのデッキ２２上に床コンクリート３６を打設する。脚部材１２下端の床コンクリート３６は脚部材１２の撤去後に打設する。
【００２４】
このように、本発明によれば、敷地に余裕がなくても、地上の敷地内に少なくともフロアユニット１基分のスペースを確保した製作ヤード２と、建物の積層工法の施工階４とを利用することで、脚部材１２等の簡易な仮設材のみでフロアユニット工法を実施することができる。このため、敷地の余裕のない建設現場でもフロアユニット工法の採用が可能である。
【００２５】
また、フロアユニットの製作から取り付けまでのいずれかの作業を建設現場で毎日行うことができる。このため、本発明によるフロアユニット工法の工程を積層工法のサイクル工程とリンクすることにより、現場作業の労務の平準化が可能である。
【００２６】
また、製作ヤードは平置きであることから、製作ヤードにかかるコストは簡易な仮設材の費用だけで済むという利点がある。
【００２７】
さらに、１ユニットの製作から取り付けまでに要する作業期間が約１日であるとすれば、例えば、Ｎ日サイクルの積層工法では、製作ヤードが１ヵ所でもＮ個のフロアユニットの製作が可能である。
【００２８】
なお、タワークレーンが複数の場合には製作ヤードはどのタワークレーンからも届く位置に設定するのが望ましい。しかし、そうした位置設定が困難な場合には、製作ヤードを吊り替え可能な構造としてもよいし、敷地内に２ヵ所以上の製作ヤードを設けてもよい。
【００２９】
次に、本発明に係る施工階ストックフロアユニット工法を、積層工法の施工サイクルとリンクさせて行う場合の一例について図７〜図９を参照しながら説明する。
【００３０】
図７は、２工区の建設現場において適用される典型的な８日サイクルの積層工法の工程図である。図８は、２工区に分割された施工建物の平面図である。図９は、２日目の施工状況の平面図である。
【００３１】
図８に示すように、施工建物の内部はコア部４０と事務室部４２とにレイアウトされており、建物中央から左半分がＡ工区に、右半分がＢ工区に設定してある。製作ヤード２は、建物の外部のＡ、Ｂ工区の境界の位置にフロアユニット１基分のスペースを確保して設けてある。また、建物の内部の各工区内にタワークレーン４４が設けてある。製作ヤード２で製作されたフロアユニットは、タワークレーン４４等によりＡ工区側の事務室部４２にＡ１、Ａ２、Ａ３、Ａ４として仮置き可能であり、Ｂ工区側の事務室部４２にＢ１、Ｂ２、Ｂ３、Ｂ４として仮置き可能である。
【００３２】
図７〜図９に示すように、製作ヤード２で１日１基のフロアユニットを製作すれば、１箇所の製作ヤード２を用いて、８日間で８基（Ａ１〜Ａ４、Ｂ１〜Ｂ４）のフロアユニットを施工階の直上階の大梁に取り付けることできる。
【００３３】
なお、図７において、「ＣＦＴ打設」とは、建物に設けられるコンクリート充填鋼管の打設を意味し、「ＰＣＣＷ取付」とは、建物に設けられるプレキャストコンクリートカーテンウォールの取り付けを意味している。
【００３４】
以上説明したように、本発明によれば、建物を建設する際に建設現場の製作ヤードでフロアユニットを製作し、このフロアユニットを施工階に揚重して建物の施工階に一時的にストックし、ストックしてある前記フロアユニットを用いて前記施工階近くのフロアを施工するので、製作ヤードとして現場内の少なくとも１ユニット分の敷地を利用することができ、敷地に余裕のない現場に好適な施工階ストックフロアユニット工法を提供することができる。
【産業上の利用可能性】
【００３５】
以上のように、本発明に係る施工階ストックフロアユニット工法は、高層建物のフロアを安価で効率的に施工するのに有用であり、特に、敷地に余裕のない建設現場に適している。
【符号の説明】
【００３６】
２  製作ヤード
４  施工階
６  大梁（施工階の大梁）
８  大梁（施工階の直上階の大梁）
１０  基部材
１２  脚部材
１４  小梁（梁部材）
１６  ブレース
１８  ガセットプレート
２０  コーナーピース
２２  デッキ（床部材）
２４  設備機器
２６  接続部材
２８  ワイヤ
３０  スタッド
３２  フォークリフト
３４  リフト装置
３６  床コンクリート
４０  コア部
４２  事務室部
４４  タワークレーン
１００  フロアユニット
【図１】
0005467440.tif 000002
【図２】
0005467440.tif 000003
【図３】
0005467440.tif 000004
【図４】
0005467440.tif 000005
【図５】
0005467440.tif 000006
【図６】
0005467440.tif 000007
【図７】
0005467440.tif 000008
【図８】
0005467440.tif 000009
【図９】
0005467440.tif 000010